(57)【要約】      （修正有）【課題】握り部分を握った状態で手の平及び指の腹を有効に温める携帯性暖房装置であって、充電することにより再利用することができるグリップカイロを提供する。【解決手段】グリップカイロ１０は、加温可能なゲル状の蓄熱材と、この蓄熱材を間隙４を有して封入する円筒状容器６と、ヒータを中央にて蓄熱材２中に延在して有し、円筒状容器６の上端を密閉する縁部を有する円筒状の筐体と、この筐体に絶縁シートを介して設けられたバッテリーと、バッテリーを押圧して筐体１４の縁部に挿嵌され、棒状ヒータ８の加熱温度を制御する温度調節回路とヒータスイッチ２８と温度調節ツマミとが実装された回路基板と、筐体の縁部の外側に嵌合されたキャップ２２と、キャップ２２及び円筒状容器６の一体的側面を覆い、握り部分に応じた凹部２４を有するシリコンラバー２６とを備えている。【選択図】 図１
0003122558.tif 000002
【実用新案登録請求の範囲】
【請求項１】
蓄熱材と、この蓄熱材を入れる容器と、ヒータを有して当該容器を密閉する筐体と、この筐体に設けられた電流源と、上記ヒータの加熱温度を制御する温度調節回路が実装された基板と、上記容器の蓋となるキャップと、このキャップ及び上記容器の側面を覆う弾性体とを備え、
上記温度調節回路で上記ヒータを加熱して上記蓄熱材を加熱することにより暖をとるグリップカイロ。
【請求項２】
加温可能なゲル状の蓄熱材と、この蓄熱材を間隙を有して封入する円筒状容器と、ヒータを中央にて延在して有し、上記円筒状容器の上端を密閉する縁部を有する円筒状の筐体と、この筐体に絶縁シートを介して設けられたバッテリーと、このバッテリを押圧して上記筐体の縁部に挿嵌され、上記ヒータの加熱温度を制御する温度調節回路が実装された基板と、上記筐体の縁部の外側に嵌合されたキャップと、このキャップ及び上記円筒状容器の一体的側面を覆い、握り部分に応じた凹部を有する弾性体とを備え、
上記温度調節回路で上記ヒータを加熱して上記ゲル状の蓄熱材を加熱することにより暖をとるグリップカイロ。
【請求項３】
前記弾性体の凹部が、指の腹状の形状であることを特徴とする請求項２記載のグリップカイロ。
【請求項４】
前記弾性体の握り部分に応じて手の平形状の凸部を設けたことを特徴とする請求項２又は３に記載のグリップカイロ。
【請求項５】
前記円筒状容器の底部が、握り部分を有する物品の握り部分に代替して取付可能であることを特徴とする請求項１〜４のいずれかに記載のグリップカイロ。
【考案の詳細な説明】
【技術分野】
【０００１】
本考案は、握り部分により手の平及び指の腹を温める携帯性暖房装置であって、充電することにより再利用可能なグリップカイロに関する。
【背景技術】
【０００２】
従来、懐やポケットなどに入れて暖をとるために、灰式カイロ、ハクキンカイロ等が利用されてきたが、現在では、不敷布や紙の袋に空気中で酸化発熱する鉄粉をいれた使い捨てカイロが一般的になっている。
このような使い捨てカイロを手袋に適用して、指先まで温める手袋用使い捨てカイロが知られている（例えば、特許文献１を参照）。
さらに、近年では、中にゲル状の保温剤が封入され、使用時には電子レンジで加温して使う方式のカイロも利用されている。
【０００３】
特に、握り部分を有する物品に対して、握り部分を暖める暖房装置として以下の提案がある。
実開平６−６４１９号公報に示す例では、寒さ冷たさのため、手の感覚が鈍るのを防ぎ、かつ、汗ばむのも防ぎ、ゴルフクラブのグリップを乾かすこともできるようにすることを目的として、ヒーター部とファンで網目パネルより手袋内部へ温風を送り込むもので、手袋の手のひら側に温風機を取り付けている（特許文献２）。
【０００４】
また、実開平５−４４１６４号公報に示す例では、ゴルフプレーヤが装着したグローブが雨で濡れたとき、これを即座に乾燥させることのできるゴルフ用グローブの乾燥装置を提供することを目的として、グリップの下部に、電池によって作動するファンとヒータとを具備する温風送風機を設け、この温風送風機からの温風を、グリップの中空部に送り込み、中空部を区画する周壁に形成された吹出口から温風を流出させ、プレーヤが装着したグローブを乾燥させるもので、ゴルフ傘のグリップにも適用されるようになっている（特許文献３）。
【０００５】
さらに、特開２００５−２２５４８１号公報に示す例では、電源部からのグリップヒータに対する通電量を容易に制御可能とすることを目的として、自動二輪車のステアリングハンドルに設けられたハンドルグリップのグリップヒータに対して、電源部からの通電量を制御するグリップヒータ制御装置が、自動二輪車の運転者が操作可能な一つのモーメンタリ式のスイッチを備え、スイッチの操作回数に応じて、グリップヒータに対する通電量を０を含む少なくとも三つのレベルにサイクリックに変更するようにしている（特許文献４）。
【０００６】
【特許文献１】特開２００４−２６７５７５号公報
【特許文献２】実開平６−６４１９号公報
【特許文献３】実開平５−４４１６４号公報
【特許文献４】特開２００５−２２５４８１号公報
【考案の開示】
【考案が解決しようとする課題】
【０００７】
しかしながら、上記従来の公報に示す例では、握り部分を有する物品に対して、握り部分を握った状態で、かつ、握り部分を有する物品の用途に応じて、手の平及び指の腹を有効に暖めるようにするには、改善の余地がある。
さらに、握り部分単体でも手の平及び指の腹を温める携帯性暖房装置として利用できれば、便利である。
【０００８】
本考案は、このような課題に鑑みてなされたものであり、握り部分を握った状態で手の平及び指の腹を有効に温める携帯性暖房装置であって、充電することにより再利用することができるグリップカイロを提供することを課題とする。
【課題を解決するための手段】
【０００９】
上記課題を達成するために、本考案のグリップカイロは、蓄熱材と、蓄熱材を入れる容器と、ヒータを有して当該容器を密閉する筐体と、筐体に設けられた電流源と、ヒータの加熱温度を制御する温度調節回路が実装された基板と、容器の蓋となるキャップと、キャップ及び容器の側面を覆う弾性体とを備え、温度調節回路でヒータを加熱して蓄熱材を加熱することにより暖をとる構成を有している。
また請求項２記載の考案は、加温可能なゲル状の蓄熱材と、蓄熱材を間隙を有して封入する円筒状容器と、ヒータを中央にて延在して有し、円筒状容器の上端を密閉する縁部を有する円筒状の筐体と、筐体に絶縁シートを介して設けられたバッテリーと、バッテリを押圧して筐体の縁部に挿嵌され、ヒータの加熱温度を制御する温度調節回路が実装された基板と、筐体の縁部の外側に嵌合されたキャップと、キャップ及び円筒状容器の一体的側面を覆い、握り部分に応じた凹部を有する弾性体とを備え、温度調節回路でヒータを加熱してゲル状の蓄熱材を加熱することにより暖をとる構成を有する。
【００１０】
請求項３記載の考案は、上記構成に加え、弾性体の凹部が、指の腹状の形状であることを特徴とするものである。
請求項４記載の考案は、弾性体の握り部分に応じて手の平形状の凸部を設けたことを特徴とするものである。
請求項５記載の考案は、前記円筒状容器の底部が、握り部分を有する物品の握り部分に代替して取付可能であることを特徴とするものである。
【考案の効果】
【００１１】
本考案のグリップカイロでは、握り部分を握った状態で手の平及び指の腹を有効に温めることができるとともに、充電することにより再利用することができるという効果を有する。
【考案を実施するための最良の形態】
【００１２】
本発明のグリップカイロは、蓄熱材２と、蓄熱材を入れる容器６と、ヒータ８を有して当該容器を密閉する筐体１４と、筐体に設けられた電流源１８と、ヒータの加熱温度を制御する温度調節回路が実装された基板２０と、容器の蓋となるキャップ２２と、キャップ及び容器の側面を覆う弾性部材２６とを備え、温度調節回路でヒータ８を加熱して蓄熱材２を加熱することにより暖をとるようにしたものである。弾性部材としては、例えばシリコンラバーを使用できる。
なお、符号は図１及び図２に示した符号に対応する。
【００１３】
以下、図１から図６に基づき、実質的に同一又は対応する部材には同一符号を用いて本考案によるグリップカイロの好適な実施の形態を詳細に説明する。
図１は、本発明の第１の実施形態に係るグリップカイロを示す概略構成図であり、図２は、Ａ−Ａ断面図である。
【００１４】
図１及び図２を参照して、第１の実施形態に係るグリップカイロ１０は、加温可能なゲル状の蓄熱材２と、この蓄熱材２を間隙４を有して封入する円筒状容器６と、棒状ヒータ８を中央にて蓄熱材２中に延在して有し、円筒状容器６の上端を密閉する縁部１２を有する円筒状の筐体１４と、この筐体１４に絶縁シート１６を介して設けられたバッテリー１８と、バッテリー１８を押圧して筐体１４の縁部１２に挿嵌され、棒状ヒータ８の加熱温度を制御する温度調節回路が実装された回路基板２０と、筐体１４の縁部１２の外側に嵌合されたキャップ２２と、キャップ２２及び円筒状容器６の一体的側面を覆い、握り部分に応じた凹部２４を有するシリコンラバー（弾性体）２６とを備えている。
【００１５】
回路基板２０には、温度調節回路が実装されており、温度調節回路は、ヒータースイッチ２８と、ポテンショメータ３０の温度調節ツマミ３１と、サイリスタなどを使った制御装置３２と、棒状ヒータ８内部に設けられた温度センサ（図示せず）とを備え、温度調節ツマミ３１で設定した温度と、温度センサにより検出した温度に基づいて、棒状ヒータ８を温度制御するように接続されている。温度センサとしては、熱電対や測温抵抗体が使用できる。
【００１６】
また、サーモスタットを使用して棒状ヒータ８の温度制御をしてもよい。この場合には、設定温度で電気的接点がオンーオフするサーモスタットの感熱部を、例えば棒状ヒータ８内やゲル状の蓄熱材２内に設けるようにすればよい。
【００１７】
温度調節する設定温度は、固定された５５℃でもよいが、±１〜２℃程度調節可能の方が好ましい。
なお、設定温度が固定され、温度過昇がないように設計されている場合には、タイマーを使ったオンーオフ制御で、温度センサーはなくてもよい。
【００１８】
棒状ヒータ８としては、シーズヒータを使用するとよい。このシーズヒータは、金属パイプの中心に発熱コイルを挿入し、金属パイプと発熱コイルとの隙間をＭｇＯで固めた構造であるが、自由に曲げ加工可能なので、コイル状に巻いた形状にしてもよい。
棒状ヒータ８は、抵抗加熱源となるものであれば、特に種類を問わない。
【００１９】
蓄熱材２としてはグリースが使用可能であるが、自然環境に害を与えないものが好ましく、例えば天然粘土をアルコール系溶剤でペースト状にしたものを使用してもよい。
【００２０】
棒状ヒータ８の両端子は、制御装置３２に接続され、制御装置３２はヒータスイッチ２８を介してバッテリ１８に接続されている。
バッテリ１８は、エネルギー密度が大きく、軽量で、高速充電可能なものであればよい。
【００２１】
また温度センサの信号が入力されるポテンショメータ３０は、制御装置３２に接続されており、ポテンショメータ３０の温度調節ツマミ３１により温度を設定できるようになっている。
回路基板２０の下部に電極端子３４が設けられ、この電極端子３４とバッテリの電極とが押圧されて接触している。
【００２２】
図３に示すように、円筒状容器６と筐体１４とは、筐体１４の縁部１２でかしめられており、このかしめられた個所にキャップ２２が嵌合して設けられている。円筒状容器６としては鉄製の缶やアルミ缶などが使用できる。
【００２３】
グリップカイロ１０は、人の手で一掴み出来る程度の大きさであり、例えばφ６０（単位は、ｍｍ）程度であれば、片手で手の平及び指の腹にシリコンラバー２６が接触する。
図４に示すように、手の握り部分に応じた凹部２４は、人の指の腹が例えば１／３以上埋まるようになっているのが好ましい。
また図５に示すように、手の平が当接個所に手の平形状の凸部３６を設けてもよい。
本実施形態ではシリコンラバー２６を使用したが、これに限らず、手の平や指の腹を柔らかく、手触りよく接触して包むような材質のものであって、６０℃程度の耐熱性があればよい。
【００２４】
このような構成のグリップカイロ１０では、温度調節ツマミ３１により温度設定をして、ヒータスイッチ２８をオンすることにより、制御装置３２が設定温度に棒状ヒータ８を制御し、ゲル状の蓄熱材２が温まる。そして、グリップカイロ１０の指用の凹部２４に指をはわせるようにして、グリップカイロ１０を握ることにより手を温めることができる。
【００２５】
このグリップカイロ１０では、棒状ヒータ８から発生した熱がゲル状の蓄熱材２に蓄えられるので、シリコンラバー２６が適温に達した段階でヒータスイッチ２８をオフにすればよい。ヒータスイッチ２８をオフにしても、適温状態を長く保つことができる。シリコンラバー２６が冷めた段階でヒータスイッチ２８をオンにすればよい。
【００２６】
さらに本実施形態では、バッテリー１８を充電することにより、グリップカイロを再度利用することができる。バッテリー１８の充電は、グリップカイロ１０を充電アダプタに装着して商用電源から行なわれる。なお、図示は省略してあるが、容器６の底部には、充電アダプタ側の端子と接触すべき端子が設けられている。
【００２７】
以上の説明で明かなように、本発明のグリップカイロは、握り部分を有する物品の握り部分に適用することが可能であり、例えば図２で示した円筒状容器６の底部に握り部分を有する物品を取付可能な構造、例えば、溝きり凹部を設けるようにすればよい。
【産業上の利用可能性】
【００２８】
以上のように、本考案に係るグリップカイロは、手の平及び指の腹を有効に温める携帯性暖房装置として極めて有用である。
【図面の簡単な説明】
【００２９】
【図１】本発明の第１の実施形態に係るグリップカイロを示す概略構成図である。
【図２】図１で示したグリップカイロのＡ−Ａ断面図である。
【図３】第１の実施形態の嵌合部の一部断面詳細図である。
【図４】第１の実施形態のシリコンラバーを示す図である。
【図５】シリコンラバーの他の例を示す図である。
【符号の説明】
【００３０】
２  蓄熱材
４  間隙
６  円筒状容器
８  棒状ヒータ
１０  グリップカイロ
１２  縁部
１４  筐体
１６  絶縁シート
１８  バッテリー
２０  回路基板
２２  キャップ
２４  凹部
２６  シリコンラバー（弾性体）
２８  ヒータースイッチ
３０  ポテンショメータ
３１  温度調節ツマミ
３２  制御装置
３４  電極端子
３６  凸部
３８  ヒータスイッチ、温度調節スイッチ
【図１】
0003122558.tif 000003
【図２】
0003122558.tif 000004
【図３】
0003122558.tif 000005
【図４】
0003122558.tif 000006
【図５】
0003122558.tif 000007